(57)【特許請求の範囲】
【請求項１】
光透過性のボトルを展示したり飾ったりするためのディスプレイ装置であって、ボトルを載せるための載置部と載置するボトルに対する位置を規制するための突起とを有するベースと、載置部の後側でベースから起立し、ボトルを囲むように横方向にのみ前向きに湾曲させられるとともにボトルの後で前屈み状態になるように前傾の傾斜が付けられ、内面側に小さな突起の集合からなる凹凸部を有し、全体にメタリック塗装が施されてなる反射板と、ベースの載置部と反射板との間に設けられて反射板を下から照らすランプとを具備することを特徴とするディスプレイ装置。
【請求項２】
反射板とボトルとを囲むように透明な樹脂製の転倒防止リングを付けたことを特徴とする請求項１に記載のディスプレイ装置。
【発明の詳細な説明】
【技術分野】
【０００１】
本発明は、装飾技術の分野に属し、詳しくは、各種液体用のビンをはじめとして、光透過性の物品としてのボトルを展示したり飾ったりするためのディスプレイ装置に関するものである。
【背景技術】
【０００２】
従来、上記のような光透過性の物品を効果的に展示したり或いは飾ったりするため、照明付きのベース（台）に載せるようにしたディスプレイ装置が知られている。例えば、ベースの中にランプを入れ、ガラス瓶の底の部分から直接内部に光を当てるとともに、ガラス瓶の側部も照射してラベルや印刷内容も明るく映し出すことにより展示効果を高めるようにしたものや、ベースにおける載置部の下方にランプを設置し、載置部への所定の荷重により作動するスイッチを設けたものが知られている。
【特許文献１】実用新案登録第２５３１５３５号公報
【特許文献２】実開平１−７１５６４号公報
【発明の開示】
【発明が解決しようとする課題】
【０００３】
上記したような従来のディスプレイ装置は、いずれもベース上に載置した光透過性の物品を下から照射するようになっており、照射された光はガラスや液体で乱反射を起こして美しく輝くという効果を発揮する。しかしながら、物品を下方からのみ照射するので、物品の上部が十分に照らされずに、正面から見た場合には光が物品の下部分に当たり、上部や全体に光を当てることはできないことから、物品を目立たせるという点では必ずしも満足のいくものではなく、物品が商品である場合にはその商品の展示効果が限られたり、また物品が飾り物である場合には見た目の楽しみに限界がある。
【０００４】
本発明は、このような事情に鑑みてなされたものであり、その目的とするところは、光透過性の物品としてのボトルを大いに目立たせることのできる新しいタイプのディスプレイ装置を提供することにある。
【課題を解決するための手段】
【０００５】
請求項１に記載の発明であるディスプレイ装置は、光透過性のボトルを展示したり飾ったりするためのディスプレイ装置であって、ボトルを載せるための載置部と載置するボトルに対する位置を規制するための突起とを有するベースと、載置部の後側でベースから起立し、ボトルを囲むように横方向にのみ前向きに湾曲させられるとともにボトルの後で前屈み状態になるように前傾の傾斜が付けられ、内面側に小さな突起の集合からなる凹凸部を有し、全体にメタリック塗装が施されてなる反射板と、ベースの載置部と反射板との間に設けられて反射板を下から照らすランプとを具備することを特徴としている。
【０００６】
請求項２に記載の発明であるディスプレイ装置は、請求項１に記載のディスプレイ装置において、反射板とボトルとを囲むように透明な樹脂製の転倒防止リングを付けたことを特徴としている。
【発明の効果】
【０００８】
請求項１に記載の発明であるディスプレイ装置は、光透過性のボトルを展示したり飾ったりするためのディスプレイ装置であって、ボトルを載せるための載置部と載置するボトルに対する位置を規制するための突起とを有するベースと、載置部の後側でベースから起立し、ボトルを囲むように横方向にのみ前向きに湾曲させられるとともにボトルの後で前屈み状態になるように前傾の傾斜が付けられ、内面側に小さな突起の集合からなる凹凸部を有し、全体にメタリック塗装が施されてなる反射板と、ベースの載置部と反射板との間に設けられて反射板を下から照らすランプとを具備することを特徴としているので、ランプから反射板に照射された光が反射板の凹凸部で乱反射し、光透過性の物品を背後から照らす状態になることから、全体的なキラキラ感を発揮し、物品を大いに目立たさせることができる。特に、薄暗い場所において大きな効果を発揮することができる。
【０００９】
請求項２に記載の発明であるディスプレイ装置は、請求項１に記載のディスプレイ装置において、反射板とボトルとを囲むように透明な樹脂製の転倒防止リングを付けたことを特徴としているので、上記効果に加えて、高さのあるボトルを載置しても不安定にならないため、人が過って触れるような場所でも使用することができる。
【発明を実施するための最良の形態】
【００１１】
以下、本発明の実施の形態について詳細に説明する。
【００１２】
図１は本発明に係るディスプレイ装置の一例を示す斜視図である。このディスプレイ装置は、酒類等の飲料が入ったガラス瓶（ボトル）を展示するためのものであり、例えば、レストランや居酒屋などにおいて店内カウンター、見本展示台など人目につく場所に置かれるものである。
【００１３】
図１に示すディスプレイ装置Ｄは、光透過性の物品であるボトルを載せるための載置部１１を有するベース１０と、その載置部１１の後側でベース１０から起立し内面側に凹凸部２１を有する反射板２０と、ベース１０の載置部１１と反射板２０との間に設けられて反射板２０を下から照らす左右２つのランプ３０とを具備している。また、ベース１０の後側寄りのところには、載置する物品に対する位置を規制するための突起１２が設けられている。
【００１４】
ディスプレイ装置Ｄにおけるベース１０と反射板２０は一体物であり、プラスチック成形品で構成されている。ベース１０は中空状であり、反射板２０の内側にある凹凸部２１は小さな半球状突起の集合からなる。そして、プラスチック成形品は全体にわたってメタリック塗装が施されており、反射板２０の凹凸部２１はこのメタリック塗装によって光を反射しやすくなっている。また、図１のディスプレイ装置Ｄは、反射板２０を横方向にて前向きに湾曲させており、さらに反射板２０に前傾の傾斜を付けている。すなわち、反射板２０は物品を囲むように湾曲しているとともに、物品の後で前屈み状態になるように傾斜が付けられている。なお、ベース１０と反射板２０については、それぞれ別部材で構成し、ベース１０に反射板２０を差込み固定するようにしても構わない。また、反射板２０の凹凸部２１は、半球状突起に限るものではなく、三角錐、四角錐など任意形状の突起としてよい。
【００１５】
ベース１０は前記の如く中空状で、その内部にはランプ３０を載置部１１から露出する状態で設置すると共にランプ用の電源（乾電池）を収納するようになっており、底面はプラスチック製の別部材（図示せず）によって蓋をするようになっている。また、ベース１０の内部には載置部１１の撓みにより作動するスイッチが内蔵されており、載置部１１にボトルを載せることで当該スイッチがＯＮになってランプ３０が点灯するようになっている。そして、必要に応じ、常時点灯するようにしてもよいし、点滅を繰り返すようにしてもよい。なお、ランプ３０としては、低消費電力型のランプ（例えば、ＬＥＤランプ）を使用するのが好ましい。また、電源は電池に限るものではなく、コードで外部から採るようにしてもよく、スイッチは手による切換タイプでもよい。
【００１６】
上記したディスプレイ装置Ｄは、レストランや居酒屋などの店内における所定の場所に設置し、図２に示す如くベース１０の載置部１１にボトルＢを載せた状態で使用する。このようにボトルＢを載せると、その重量で載置部１１が撓んでスイッチが入ることによってボトルＢの後にあるランプ３０が点灯する。そして、そのランプ３０から反射板２０に照射された光が反射板２０の凹凸部２１で乱反射し、ボトルＢを背後から照らす状態になり、全体的なキラキラ感を発揮する。この場合、反射板２０が横向きにて前向きに湾曲しているので、ボトルＢを囲むようにして背後から照らすことになる。また、反射板２０に前傾の傾斜が付いているので、ボトルＢを照射する光がさらに集中することになる。このように、ディスプレイ装置Ｄは、光を用いて物品を目立たせるものであるから、薄暗い場所に設置するとより効果的である。
【００１７】
本発明のディスプレイ装置Ｄは、図２のような高さのあるボトルＢを載置する場合、ボトルＢが不安定になる。そこで、人が過って触れるような場所で使用する場合は、図３に示すように、転倒防止用リング４０を付けておくことが望ましい。この場合、載置する物品が光透過性であることから、この転倒防止リング４０も例えばＰＥＴフィルム等の透明な樹脂製のものを用いるのが好ましい。
【産業上の利用可能性】
【００１８】
本発明のディスプレイ装置は、光透過性のボトルを展示したり飾ったりする場合に使用するものであるが、特に、上記したような飲料の新商品を展示する場合に用いると販促に効果を発揮する。
【図面の簡単な説明】
【００１９】
【図１】本発明に係るディスプレイ装置の一例を示す斜視図である。
【図２】図１のディスプレイ装置の使用状態を示す斜視図である。
【図３】転倒防止用リングを取り付けたディスプレイ装置の使用状態を示す斜視図である。
【符号の説明】
【００２０】
Ｂ  ボトル
Ｄ  ディスプレイ装置
１０  ベース
１１  載置部
２０  反射板
２１  凹凸部
３０  ランプ
４０  転倒防止リング
【図１】
0004671323.tif 000002
【図２】
0004671323.tif 000003
【図３】
0004671323.tif 000004